(57)【要約】【課題】制御部の動作電源の電圧値のばらつきによる出力のばらつきを抑制できること。【解決手段】実施形態に係る照明装置１０は、ＬＥＤ素子１１と、メモリ１５５と、制御電源部１３と、制御部１５と、点灯部１２とを有する。制御電源部１３は、入力電源を制御部に対する動作電源に変換する。制御部１５は、基準電圧入力部１５３と、補正パラメータ演算部１５４１と、出力部１５６とを有する。基準電圧入力部１５３は、任意の基準電圧の入力を受け付ける。補正パラメータ演算部１５４１は、基準電圧の電圧値と動作電源の電圧値との比に基づいて、動作電源のばらつき補正用の補正パラメータを演算し、メモリ１５５に補正パラメータを格納する。出力部１５６は、調光信号及び補正パラメータに基づいて制御信号を出力する。点灯部１２は、制御信号にしたがい出力電流をＬＥＤ素子１１に出力する。【選択図】図１
2019061944.tif 000002
【特許請求の範囲】
【請求項１】
発光素子と、
不揮発性メモリと、
入力電源を動作電源に変換する制御電源部と、
任意の基準電圧の入力を受け付ける基準電圧入力部と、前記基準電圧の電圧値と前記動作電源の電圧値との比に基づいて、前記動作電源のばらつき補正用の補正パラメータを演算し、前記不揮発性メモリに前記補正パラメータを格納する補正パラメータ演算部と、調光度を示す調光信号を受信する受信部と、前記調光信号および前記補正パラメータに基づいて制御信号を出力する出力部と、を有する制御部と、
前記制御信号にしたがい出力電流を前記発光素子に出力する点灯部と、
を有する特徴とする照明装置。
【請求項２】
前記補正パラメータ演算部は、前記基準電圧が、予め設定した所定範囲の電圧値である場合に、前記補正パラメータを演算することを特徴とする請求項１に記載の照明装置。
【請求項３】
前記制御部は、
前記基準電圧が前記所定範囲の電圧値である場合に、前記受信部が受信した調光信号であって、予め設定された任意の調光度に相当する調光信号から検出した調光検出値と、予め保持された前記任意の調光度に相当する値との比に基づいて、前記調光信号の補正用の調光検出値用補正パラメータを演算し、前記不揮発性メモリに前記調光検出値用補正パラメータを格納する調光検出値補正パラメータ演算部と、
前記不揮発性メモリに格納された前記調光検出値用補正パラメータを用いて前記調光信号の検出値を補正する調光検出値補正部と、
をさらに有することを特徴とする請求項２に記載の照明装置。
【請求項４】
前記制御部は、前記不揮発性メモリに格納された補正パラメータを用いて制御信号を補正する補正部をさらに有し、
前記出力部は、前記補正部によってＤｕｔｙ幅が補正されたＰＷＭ（Pulse  Width  Modulation）信号を出力することを特徴とする請求項１〜３のいずれか一つに記載の照明装置。
【発明の詳細な説明】
【技術分野】
【０００１】
本発明の実施形態は、照明装置に関する。
【背景技術】
【０００２】
小型（ハロゲンタイプ等）電球型のＬＥＤ（Light  Emitting  Diode）照明装置において、装置内の制御回路は、スイッチングレギュレータの出力を調整する基準信号を出力する。
【０００３】
しかしながら、ＬＥＤ照明装置では、制御回路の制御電源電圧のばらつきが調光下限時の明るさばらつきとなり、明かりの切れ際で電球個々の消灯タイミングが異なることがある。このような切れ際のタイミングずれは、視認されやすい。
【先行技術文献】
【特許文献】
【０００４】
【特許文献１】特許第５０５８７７８号公報
【発明の概要】
【発明が解決しようとする課題】
【０００５】
本発明が解決しようとする課題は、制御部の動作電源の電圧値のばらつきによる出力のばらつきを抑制することである。
【課題を解決するための手段】
【０００６】
実施形態の一例に係る照明装置は、発光素子と、不揮発性メモリと、制御電源部と、制御部と、点灯部と、を有する。制御電源部は、入力電源を動作電源に変換する。制御部は、基準電圧入力部と、補正パラメータ演算部と、受信部と、出力部と、を有する。基準電圧入力部は、任意の基準電圧の入力を受け付ける。補正パラメータ演算部は、基準電圧の電圧値と動作電源の電圧値との比に基づいて、動作電源のばらつき補正用の補正パラメータを演算し、不揮発性メモリに補正パラメータを格納する。受信部は、調光度を示す調光信号を受信する。出力部は、調光信号および補正パラメータに基づいて制御信号を出力する。点灯部は、入力電源を発光素子に対する供給電源に変更し、制御信号にしたがい出力電流を発光素子に出力する。
【発明の効果】
【０００７】
実施形態の一例に係る照明装置によれば、制御部の動作電源の電圧値のばらつきによる出力のばらつきを抑制できる。
【図面の簡単な説明】
【０００８】
【図１】図１は、第１の実施形態に係る照明装置の構成例を示す図である。
【図２】図２は、図１に示す制御部による補正パラメータ演算処理及び補正処理について説明する図である。
【図３】図３は、図１に示す制御部が実行する補正パラメータ演算処理の処理手順を示すフローチャートである。
【図４】図４は、図１に示す制御部が実行する補正処理の処理手順を示すフローチャートである。
【図５】図５は、第２の実施形態に係る照明装置の構成例を示す図である。
【図６】図６は、第３の実施形態に係る照明装置の構成例を示す図である。
【図７】図７は、入力される調光信号の電圧依存性を示す図である。
【図８】図８は、図６に示す制御部が実行する調光検出値用補正パラメータ演算処理の処理手順を示すフローチャートである。
【図９】図９は、図６に示す制御部が実行する補正処理の処理手順を示すフローチャートである。
【発明を実施するための形態】
【０００９】
以下で説明する実施形態に係る照明装置１０は、ＬＥＤ素子１１（発光素子）と、メモリ１５５（不揮発性メモリ）と、制御電源部１３と、制御部１５と、点灯部１２と、を有する。制御電源部１３は、入力電源を動作電源に変換する。制御部１５は、基準電圧入力部１５３と、補正パラメータ演算部１５４１と、入力電圧検出部１５２（受信部）と、出力部１５６と、を有する。基準電圧入力部１５３は、任意の基準電圧の入力を受け付ける。補正パラメータ演算部１５４１は、基準電圧の電圧値と動作電源の電圧値との比に基づいて、動作電源のばらつき補正用の補正パラメータを演算し、メモリ１５５に補正パラメータを格納する。入力電圧検出部１５２は、調光度を示す調光信号を受信する。出力部１５６は、調光信号および補正パラメータに基づいて制御信号を出力する。点灯部１２は、入力電源をＬＥＤ素子１１に対する供給電源に変更し、制御信号にしたがい出力電流をＬＥＤ素子１１に出力する。
【００１０】
また、以下で説明する実施形態における制御部３１５は、調光検出値補正パラメータ演算部１５４３と、調光検出値補正部１５４４と、を有する。調光検出値補正パラメータ演算部１５４３は、基準電圧が所定範囲の電圧値である場合に、入力電圧検出部１５２が受信した調光信号であって、予め設定された任意の調光度に相当する調光信号から検出した調光検出値と、予め保持された調光度に相当する値との比に基づいて、調光信号の補正用の調光検出値用補正パラメータを演算し、メモリ１５５に調光検出値用補正パラメータ１５５２を格納する。調光検出値補正部１５４４は、メモリ１５５に格納された調光検出値用補正パラメータ１５５２を用いて調光信号の検出値を補正する。
【００１１】
また、以下で説明する実施形態に係る補正パラメータ演算部１５４１は、基準電圧が、予め設定した所定範囲の電圧値である場合に、補正パラメータを演算する。
【００１２】
また、以下で説明する実施形態に係る制御部１５は、補正部１５４２をさらに有する。補正部１５４２は、メモリ１５５に格納された補正パラメータを用いて制御信号を補正する。出力部１５６は、補正部１５４２によってＤｕｔｙ幅が補正されたＰＷＭ（Pulse  Width  Modulation）信号を出力する。
【００１３】
以下、図面を参照して、実施形態に係る通信システムを説明する。実施形態において同一の部位には同一の符号を付し、重複する説明は省略される。
【００１４】
［第１の実施形態］
まず、図１〜図４を用いて、第１の実施形態に係る照明装置について説明する。
【００１５】
［照明装置の構成］
図１は、第１の実施形態に係る照明装置１０の構成例を示す図である。図１に示すように、照明装置１０は、ＬＥＤ素子１１、点灯部１２、制御電源部１３、電圧変換部１４、制御部１５、平滑部１６、検出部１７及び比較部１８を有する。図１に示す照明装置１０の構成は、調光盤（不図示）から供給される入力電源が調光信号を兼ねている場合に対応する。なお、図１の例では、入力電源は、ＤＣ電圧である。また、入力されたＤＣ電圧の値と、０〜１００％の調光率とは予め対応付けられており、照明装置１０には、調光率に応じた値のＤＣ電圧が入力される。
【００１６】
ＬＥＤ素子１１は、半導体発光素子であり、点灯部１２から出力された直流電流の入力によって点灯する。なお、発光素子は、ＬＥＤ素子１１に限らない。
【００１７】
点灯部１２は、調光盤（不図示）からは入力電源が入力されるとともに、制御部１５（後述）からは、制御信号が入力される。点灯部１２は、制御信号にしたがい出力電流をＬＥＤ素子１１に出力する。点灯部１２には、制御信号としてＰＷＭ信号が入力される。ＰＷＭ信号は、ＬＥＤ素子１１に対する調光信号で示された調光度での点灯を制御する制御信号である。点灯部１２は、入力電源をＬＥＤ素子１１に対する供給電源に変更する。そして、点灯部１２は、ＰＷＭ信号にしたがって調光度に応じて変化させた出力電流をＬＥＤ素子１１に出力する。点灯部１２は、ＬＥＤ素子１１への出力電流を変化させることによって、ＬＥＤ素子１１の明るさを調整する。点灯部１２は、例えば、スイッチングレギュレータで構成される。
【００１８】
制御電源部１３は、入力された入力電源を、制御部１５（後述）に対する動作電源に変換し、変換した動作電源を制御部１５に出力する。制御電源部１３は、例えば、リニアレギュレータによって構成される。制御電源部１３を構成する回路は、個体差があり、この個体差によって、出力する動作電源の値が、設計値からずれ、ばらつく場合がある。
【００１９】
電圧変換部１４は、入力された入力電源の電圧値を、制御部１５（後述）が処理可能な電圧に変換し、制御部１５に出力する。電圧変換部１４は、入力電源の電圧値を、例えば、１０分の１に変換する。
【００２０】
制御部１５は、制御電源部１３が出力した動作電源で駆動する。制御部１５は、入力された調光度を示す調光信号を受信する。そして、制御部１５は、調光信号を基に、ＬＥＤ素子１１に対する調光度での点灯を制御する制御信号を出力する。なお、照明装置１０では、入力電源が調光信号を兼ねているため、制御部１５は、入力電源の電圧値から、ＬＥＤ素子１１に対する調光度を取得する。この制御部１５は、例えば、マイコン等によって構成される。
【００２１】
さらに、制御部１５は、動作電源のばらつき補正用の補正パラメータを演算し、調光信号および補正パラメータに基づいて制御信号を出力する。具体的には、制御部１５は、予め設定された所定範囲の電圧値で任意の基準電圧が入力された場合に、この基準電圧を用いて、動作電源のばらつき補正用の補正パラメータを演算する。そして、制御部１５は、補正パラメータを用いて制御信号を補正する。制御部１５は、制御信号であるＰＷＭ信号のＤｕｔｙ幅を補正することによって、動作電源のばらつきを補正し、ＬＥＤ素子１１における出力のばらつきを抑制する。制御部１５は、電源の入力を受付けるＰＳ部１５１、入力電圧検出部１５２、基準電圧入力部１５３、演算部１５４、メモリ１５５及び出力部１５６を有する。
【００２２】
入力電圧検出部１５２は、電圧変換部１４が変換した電圧値から、ＬＥＤ素子１１に対する調光度を取得する。言い換えると、入力電圧検出部１５２は、外部から入力された調光度を示す調光信号を受信する機能を有する。入力電圧検出部１５２は、取得した調光度を演算部１５４に入力する。
【００２３】
基準電圧入力部１５３は、任意の基準電圧の入力を受け付ける。例えば、基準電圧は、照明装置１０の工場出荷時やメンテナンス時等に、所定の範囲で入力される。基準電圧入力部１５３は、Ａ／Ｄ変換器１５３１で基準電圧をＡ／Ｄ変換し、変換後の基準電圧を演算部１５４に入力する。
【００２４】
演算部１５４は、調光信号の調光度を基に、ＰＷＭ信号を生成する。また、演算部１５４は、補正パラメータの演算及び動作電源のばらつきに対する補正処理を行う。演算部１５４は、補正パラメータ演算部１５４１及び補正部１５４２を有する。
【００２５】
補正パラメータ演算部１５４１は、基準電圧の電圧値と、制御電源部１３が変換した動作電源の電圧値との比を求め、基準電圧の電圧値と動作電源の電圧値との比に基づいて、動作電源のばらつき補正用の補正パラメータを演算する。そして、補正パラメータ演算部１５４１は、メモリ１５５に補正パラメータを格納する。また、補正パラメータ演算部１５４１は、基準電圧が、予め設定した所定の範囲の電圧である場合に、補正パラメータを演算する。例えば、補正パラメータ演算部１５４１は、基準電圧が、２．４４９〜２．５０１Ｖである場合に、この基準電圧の電圧値を用いて補正パラメータの演算を実行する。
【００２６】
補正部１５４２は、メモリ１５５に格納された補正パラメータを用いて、制御信号を補正する。補正部１５４２は、メモリ１５５に格納された補正パラメータを用いて、ＰＷＭ信号のＤｕｔｙ幅を補正する。ここで、補正部１５４２は、基準となるＤｕｔｙ幅を保持している。補正部１５４２は、補正処理時には、基準となるＤｕｔｙ幅に、補正パラメータを乗じた幅を、補正後のＤｕｔｙ幅とするＰＷＭ信号を生成する。
【００２７】
メモリ１５５は、不揮発性メモリであり、補正パラメータ演算部１５４１が演算した補正パラメータ１５５１を記憶する。なお、図１の照明装置１０は、制御部１５がメモリ１５５を有する構成であるが、演算部１５３による補正パラメータ１５５１の格納及び読み出しが可能であれば、制御部１５外に配置される構成であってもよい。
【００２８】
出力部１５６は、調光信号および補正パラメータに基づいて制御信号を出力する。出力部１５６は、演算部１５４が生成したＰＷＭ信号を、後段の平滑部１６（後述）に出力する。この際、出力部１５６は、補正部１５４２によってＤｕｔｙ幅が補正されたＰＷＭ信号を出力する。
【００２９】
平滑部１６は、入力されたＰＷＭ信号を平滑化して平均を取る。平滑部１６は、平滑化したＰＷＭ信号を比較部１８に出力する。
【００３０】
検出部１７は、実際にＬＥＤ素子１１に流れている電流及び電圧を検出する。比較部１８は、平滑部１６が平滑化した電圧値と、検出部１７が検出した電圧値とを比較し、平滑部１６が平滑化した電圧値と、検出部１７が検出した電圧値とが同値となるように、点灯部１２に指示を出す。
【００３１】
［補正パラメータ演算処理及び補正処理］
続いて、制御部１５による補正パラメータ演算処理及び補正処理について説明する。図２は、図１に示す制御部１５による補正パラメータ演算処理及び補正処理について説明する図である。
【００３２】
図２の（ａ）は、設計において規定されたＰＷＭ信号の波形の一例を示す図である。ここで、調光信号をＶｒｅｆとして示す。Ｖｒｅｆは、ＰＷＭ信号の平均値である。また、ＰＷＭ信号の基準となるＤｕｔｙを「ｔ」とし、本来あるべきＰＷＭ信号の波高さ（Ｖｄｄ電圧）を「Ｖ」とし、ＰＭＷ信号の周期を「Ｔ」とする。
【００３３】
制御部１５の動作電源にずれが生じていない場合には、図２の（ａ）に示すように、ＰＷＭ信号の波高さはＶを取る。そして、制御電源にずれが生じていないため、波高さＶとＤｕｔｙ幅ｔとで示される矩形領域の面積Ｄ（Ｖ，ｔ）が、調光信号で指示された調光度に対応することとなる。この場合にはおけるＶｒｅｆは、以下の（１）式のように表すことができる。
Ｖｒｅｆ＝（ｔ×Ｖ）／Ｔ          ・・・（１）
【００３４】
しかしながら、制御部１５が出力するＰＷＭ信号（基準信号）の波高さは、本来設定された波高さＶからずれてしまう場合がある。これは、ＰＷＭ信号の波高さが、制御部１５の動作電源に依存するためである。制御電源部１３の個体差があった場合には、動作電源のばらつきが生じ、ＰＷＭ信号の波高さがＶからずれてしまう。
【００３５】
図２の（ｂ）は、動作電源にばらつきが生じた場合のＰＷＭ信号の波形の一例を示す図である。制御電源にばらつきが生じた場合、ＰＷＭ信号の波高さは、例えば、本来設定された波高さＶよりも高い電圧Ｖ´にずれる。この結果、波高さＶ´とＤｕｔｙ幅ｔとで示される矩形領域の面積Ｄ（Ｖ´，ｔ）は、図２の（ａ）における面積Ｄ（Ｖ，ｔ）と比して、塗りつぶし部分Ｒ´の面積分増加し、結果として、調光度が大きくなってしまう。
【００３６】
この図２の（ｂ）に示す場合の調光信号Ｖｒｅｆ´は、以下の（２）式のように表すことができる。
Ｖｒｅｆ´＝（ｔ×Ｖ´）／Ｔ          ・・・（２）
【００３７】
この式をＶｒｅｆに直すと以下の（３）式となる。
Ｖｒｅｆ＝ｔ×｛（Ｖ´／Ｖ´）×Ｖ｝／Ｔ          ・・・（３）
【００３８】
これを整理すると、以下の（４）式となる。
Ｖｒｅｆ＝（｛ｔ×（Ｖ／Ｖ´）｝×Ｖ´）／Ｔ          ・・・（４）
【００３９】
ここで、ＰＷＭ信号のＤｕｔｙ幅ｔは、ソフトウェアで変更可能である。そこで、本実施形態では、動作電源のばらつき分に応じてＤｕｔｙ幅を補正する。具体的には、補正したＤｕｔｙ幅をｔ´とすると、ｔ´は、以下の（５）式で表すことができる。そして、Ｖｒｅｆは、（６）式のように表すことができる。
ｔ´＝ｔ×Ｖ／Ｖ´          ・・・（５）
Ｖｒｅｆ＝（ｔ´×Ｖ´）／Ｔ          ・・・（６）
【００４０】
このため、補正パラメータ演算部１５４１は、上記の関係式を用いてＶｄｄの規定値Ｖ（例えば、５Ｖ）に対する実際のＶｄｄの比（Ｖ／Ｖ´）を、補正パラメータとして演算する。そして、補正部１５４２は、この比（Ｖ／Ｖ´）をＰＭＷ信号のＤｕｔｙ幅ｔに乗算することによって、Ｖｒｅｆ´のずれを補正したＰＷＭ信号を生成する。
【００４１】
図２の（ｃ）は、動作電源にばらつきが生じた場合の補正後のＰＷＭ信号の波形の一例を示す図である。具体的には、補正部１５４２は、図２の（ｃ）に示すように、ＶｄｄのずれによってＰＷＭ信号の波高さがＶ´まで高くなっていた場合、Ｄｕｔｙ幅をｔ´まで狭くする。前述したように、ｔ´は、ｔに比（Ｖ／Ｖ´）を乗じた値である。
【００４２】
これによって、波高さＶ´とＤｕｔｙ幅ｔ´とで示される矩形領域の面積Ｄ（Ｖ´，ｔ´）を、面積Ｄ（Ｖ，ｔ）（図２の（ａ）参照）に近づけることができる。すなわち、補正部１５４２は、Ｄｕｔｙ幅を補正することによって、調光信号で指示された本来の調光度となるようにＰＷＭ信号を補正する。
【００４３】
また、照明装置１０では、一定値である基準電圧の電圧値Ｖｓを指標に、比（Ｖ／Ｖ´）を求めている。基準電圧の入力を受けると、補正パラメータ演算部１５４１は、基準電圧の電圧値Ｖｓに対する、補正前のＰＷＭ信号の波高さＶ´の比（Ｖｓ／Ｖ´）を求めることができる。そして、補正パラメータ演算部１５４１は、この比（Ｖｓ／Ｖ´）に対して（Ｖ／Ｖｓ）を乗じることによって、比（Ｖ／Ｖ´）を求める。比（Ｖ／Ｖ´）は、前述のように、規定のＤｕｔｙ幅ｔに乗算すべき補正パラメータである。
【００４４】
補正パラメータ演算部１５４１は、このように演算した補正パラメータを、メモリ１５５に記憶する。メモリ１５５は、不揮発性メモリであるため、補正パラメータを保持し続けることができる。したがって、照明装置１０は、補正パラメータ演算処理を一度行うのみでよく、点灯する間は、補正パラメータをメモリ１５５から読み出すことで、継続して補正処理を行い、恒久的に出力のばらつきを抑制する。
【００４５】
［補正パラメータ演算処理の処理手順］
次に、制御部１５が実行する補正パラメータ演算処理の処理手順について説明する。図３は、図１に示す制御部１５が実行する補正パラメータ演算処理の処理手順を示すフローチャートである。
【００４６】
まず、図３に示すように、制御部１５が起動すると（ステップＳ１）、補正パラメータ演算部１５４１は、予め設定された所定範囲の電圧値で任意の基準電圧が入力されたか否かを判定する（ステップＳ２）。補正パラメータ演算部１５４１は、任意の基準電圧が入力されていないと判定した場合（ステップＳ２：Ｎｏ）、補正パラメータ演算処理を終了する。
【００４７】
これに対し、任意の基準電圧が入力されたと判定した場合（ステップＳ２：Ｙｅｓ）、基準電圧の電圧値と、制御電源部１３が変換した動作電源の電圧値との比（Ｖｓ／Ｖ´）を演算する（ステップＳ３）。
【００４８】
続いて、補正パラメータ演算部１５４１は、この比（Ｖｓ／Ｖ´）に対して、動作電源の設定値と基準電圧の電圧値との比（Ｖ／Ｖｓ）を乗じることによって、比（Ｖ／Ｖ´）を、補正パラメータとして演算する（ステップＳ４）。続いて、補正パラメータ演算部１５４１は、演算した補正パラメータをメモリ１５５に格納して（ステップＳ５）、処理を終了する。
【００４９】
［補正処理の処理手順］
次に、制御部１５が実行する補正処理の処理手順について説明する。図４は、図１に示す制御部１５が実行する補正処理の処理手順を示すフローチャートである。
【００５０】
図４に示すように、動作電源及び調光信号の入力があると（ステップＳ１１）、補正部１５４２は、補正パラメータ１５５１をメモリ１５５から読み出す（ステップＳ１２）。そして、補正部１５４２は、補正パラメータ１５５１を用いてＰＷＭ信号のＤｕｔｙ幅を補正する補正処理を行う（ステップＳ１３）。そして、出力部１５６は、補正後のＰＷＭ信号を出力する（ステップＳ１４）。制御部１５では、動作電源の入力が停止するまで、ステップＳ１１からステップＳ１４の処理を繰り返す。
【００５１】
［第１の実施形態の効果］
このように、照明装置１０では、制御部１５は、任意の基準電圧の電圧値と動作電源の電圧値との比に基づいて、動作電源のばらつき補正用の補正パラメータを演算し、メモリ１５５に格納する。そして、照明装置１０では、照明装置１０の点灯時に、この補正パラメータ１５５１を用いて、動作電源のばらつきをＤｕｔｙで補正したＰＷＭ信号を出力する。この結果、照明装置１０は、ＬＥＤ素子１１における出力のばらつきを抑制でき、照明装置１０個々の消灯のタイミングずれを抑制することができる。
【００５２】
また、照明装置１０では、制御部１５が、演算した補正パラメータをメモリ１５５に記憶する。メモリ１５５は、不揮発性メモリであるため、照明装置１０の電源オフ後も補正パラメータ１５５１を保持し続けることができる。したがって、照明装置１０は、補正パラメータ演算処理を一度行うのみで補正パラメータを取得できる。
【００５３】
また、照明装置１０では、補正パラメータ演算部１５４１は、基準電圧が、予め設定した所定範囲の電圧値である場合に、補正パラメータを演算する。したがって、管理者は、製造工程中、工場出荷時或いはメンテナンス時等の所望のタイミングで、所定範囲の電圧値の基準電圧を、照明装置１０に一度入力するのみで、照明装置１０に、ソフトウェア上で補正パラメータを演算させることができる。このため、照明装置１０は、制御部１５として機能するマイコン内に、動作電源調整用の回路追加も不要となる。
【００５４】
そして、照明装置１０は、点灯する間、補正パラメータをメモリ１５５から読み出し、継続して補正処理を実行するため、恒久的に出力のばらつきを抑制できる。すなわち、管理者は、所定範囲の電圧値の基準電圧を一度入力するのみで、恒久的に、照明装置１０の出力のばらつきを抑制できる。
【００５５】
［第１の実施形態の変形例］
第１の実施形態に係る照明装置では、入力電源がＤＣ電源であるについて説明したが、もちろん、入力電源は、ＡＣ電源であり、位相制御方式で調光されてもよい。この場合、ＡＣの波形のＯＮ部分の幅と位相幅との比が調光率となる。或いは、ＡＣ波形を平滑化した電圧値に、調光率が対応付けられていてもよい。なお、点灯部１２、制御電源部１３及び電圧変換部１４等の各回路は、ＡＣ電源に対応した回路構成となる。
【００５６】
［第２の実施形態］
次に、第２の実施形態について説明する。図５は、第２の実施形態に係る照明装置２１０の構成例を示す図である。図２に示すように、照明装置２１０は、入力電源とは別に調光信号が入力され、図１に示す制御部１５に代えて、制御部２１５を有する。
【００５７】
制御部２１５は、制御部１５における入力電圧検出部１５２に代えて、調光信号受信部２１５２を有する。調光信号受信部２１５２は、調光盤（不図示）から入力された調光信号を受信し、調光信号が示す調光度を検出する。演算部１５４は、調光信号受信部２１５２が検出した調光度にしたがってＰＷＭ信号を生成する。
【００５８】
演算部１５４は、第１の実施形態と同様に、補正パラメータ演算部１５４１が、図３に示す処理手順を行うことによって、基準電力入力時に補正パラメータを演算する補正パラメータ演算処理を行う。そして、補正部１５４２が、図４に示す処理手順を行って、補正パラメータを用いてＤｕｔｙ幅を補正したＰＷＭ信号を生成する補正処理を行う。
【００５９】
したがって、この照明装置２１０のように、調光信号が入力電源とは別に入力される場合も、ＰＷＭ信号に対する補正パラメータの演算及び補正処理を行うことによって、第１の実施形態と同様の効果を奏する。
【００６０】
［第３の実施形態］
次に、第３の実施形態について説明する。図６は、第３の実施形態に係る照明装置３１０の構成例を示す図である。図６に示すように、照明装置３１０は、図１に示す制御部１５に代えて、制御部３１５を有する。
【００６１】
制御部３１５は、制御部１５における演算部１５４に代えて、演算部３１５４を有する。演算部３１５４は、演算部１５４と比して、調光検出位補正パラメータ演算部１５４３及び調光検出値補正部１５４４をさらに有する。演算部３１５４は、調光信号の補正用の調光検出値用補正パラメータを演算し、調光検出値用補正パラメータを用いて調光信号の検出値を補正する。
【００６２】
調光検出値補正パラメータ演算部１５４３は、基準電圧が、予め設定した所定の範囲の電圧値である場合に、調光信号の補正用の調光検出値用補正パラメータを演算する。具体的には、調光検出値補正パラメータ演算部１５４３は、基準電圧が所定の範囲の電圧値である場合に、入力電圧検出部１５２が入力を受け付けた調光信号を取得する。この調光信号は、予め設定された任意の調光度に相当する調光信号である。調光検出値補正パラメータ演算部１５４３は、取得した調光信号から検出した調光検出値と、予め保持された任意の調光度に相当する値との比に基づいて、調光信号の補正用の調光検出値用補正パラメータを演算する。なお、任意の調光度は例えば調光下限であり、所定電圧で消灯するように設定されている場合には調光度０であってもよい。このように、調光下限または調光度０において検出値を補正しておくことで、複数の照明装置を同一系統の調光信号線に接続したときに、各照明装置の調光下限での制御または消灯のタイミングを合わせることができる。そして、調光検出値補正パラメータ演算部１５４３は、メモリ１５５に、調光検出値用補正パラメータ１５５２を格納する。
【００６３】
調光検出値補正部１５４４は、メモリ１５５に格納された調光検出値用補正パラメータ１５５２を用いて調光信号の検出値である調光検出値を補正する。
【００６４】
図７は、入力される調光信号の電圧依存性を示す図である。図７に示すように、実際に入力される調光信号（曲線Ｍｔ´）は、理論的に設定されている調光信号（曲線Ｍｔ参照）からずれる場合がある。
【００６５】
このため、第３の実施形態では、調光検出値補正パラメータ演算部１５４３が、製品テストの際、すなわち、予め設定された所定範囲の電圧値で任意の基準電圧が入力された場合に、調光検出値用補正パラメータを演算する。具体的には、調光検出値補正パラメータ演算部１５４３は、製品テストの際に、入力電圧検出部１５２が入力を受け付けた調光下限に相当する調光信号の調光検出値Ｖｍ´を求める。そして、調光検出値補正パラメータ演算部１５４３は、調光検出値Ｖｍ´と、予め保持された調光下限時の理論値Ｖｍとの比を求める。調光検出値補正パラメータ演算部１５４３は、この比（Ｖｍ／Ｖｍ´）を調光信号の補正用の調光検出値用補正パラメータとして、メモリ１５５に格納する。
【００６６】
続いて、実際の点灯時においては、調光検出値補正部１５４４は、調光信号の入力があった場合、この調光信号の検出値に、調光検出値用補正パラメータ（Ｖｍ／Ｖｍ´）を乗じることによって、調光信号の検出値を補正する。演算部３１５４は、調光検出値補正部１５４４によって補正された調光信号の検出値を基に、調光を行う。
【００６７】
［調光検出値用補正パラメータ演算処理の処理手順］
次に、制御部３１５が実行する調光検出値用補正パラメータ演算処理の処理手順について説明する。図８は、図６に示す制御部３１５が実行する調光検出値用補正パラメータ演算処理の処理手順を示すフローチャートである。
【００６８】
図８に示すステップＳ２１は、図３に示すステップＳ１と同様の処理である。調光検出値補正パラメータ演算部１５４３は、予め設定された所定範囲の電圧値で任意の基準電圧が入力されたか否かを判定する（ステップＳ２２）。調光検出値補正パラメータ演算部１５４３は、任意の基準電圧が入力されていないと判定した場合（ステップＳ２２：Ｎｏ）、調光検出値用補正パラメータ演算処理を終了する。
【００６９】
これに対し、調光検出値補正パラメータ演算部１５４３は、任意の基準電圧が入力されたと判定した場合（ステップＳ２２：Ｙｅｓ）、入力電圧検出部１５２が調光信号の入力を受け付ける（ステップＳ２３）。この調光信号は、予め設定された任意の調光度に相当する調光信号であり、たとえば、調光下限に相当する調光信号である。
【００７０】
調光検出値補正パラメータ演算部１５４３は、入力電圧検出部１５２が入力を受け付けた調光信号の調光検出値と、予め保持された任意の調光度に相当する値との比を演算する（ステップＳ２４）。なお、入力を受け付けた調光検出値は、調光下限に相当する調光信号の調光検出値Ｖｍ´である。また、予め保持された任意の調光度に相当する値は、例えば、調光下限時の理論値Ｖｍである。この場合には、調光検出値補正パラメータ演算部１５４３は、比（Ｖｍ／Ｖｍ´）を計算する。調光検出値補正パラメータ演算部１５４３は、この比（Ｖｍ／Ｖｍ´）を調光信号の補正用の調光検出値用補正パラメータとして、メモリ１５５に格納する（ステップＳ２５）。なお、制御部３１５は、図８の処理とは別に、図３に示す補正パラメータ演算部１５４１による補正パラメータ演算処理も実行する。
【００７１】
［補正処理の処理手順］
次に、制御部３１５が実行する補正処理の処理手順について説明する。図９は、図６に示す制御部３１５が実行する補正処理の処理手順を示すフローチャートである。
【００７２】
図９に示すように、動作電源及び調光信号の入力があると（ステップＳ３１）、調光検出値補正部１５４４は、メモリ１５５に格納された調光検出値用補正パラメータ１５５２を読み出す（ステップＳ３２）。そして、調光検出値補正部１５４４は、読み出した調光検出値用補正パラメータ１５５２を用いて、入力された調光信号の検出値である調光検出値を補正する（ステップＳ３３）。
【００７３】
ステップＳ３４〜ステップＳ３６は、図４に示すステップＳ１２〜ステップＳ１４の処理と同様である。この際、制御部３１５は、補正後の調光信号の検出値を用いて、処理を行う。
【００７４】
［第３の実施形態の効果］
このように、照明装置３１０は、所定範囲の電圧値で任意の基準電圧が入力された場合に入力される予め設定された任意の調光度に相当する調光信号の検出値と、予め保持された任意の調光度に相当する値との比を調光検出値用補正パラメータとして演算し、メモリ１５５に格納する。そして、照明装置３１０は、照明装置３１０の点灯時に、この調光検出値用補正パラメータを用いて補正した調光信号の検出値を用いて点灯を行う。言い換えると、照明装置３１０は、通常時には、調光信号の検出値に対してばらつき分を補正し、調光度とする。このため照明装置３１０によれば、調光信号のばらつきを抑制して、正確な点灯処理を実行することが可能になる。
【００７５】
また、照明装置３１０では、調光検出値補正パラメータ演算部１５４３は、基準電圧が、予め設定した所定範囲の電圧値である場合に、調光検出値用補正パラメータを演算する。したがって、管理者は、製造工程中、工場出荷時或いはメンテナンス時等の所望のタイミングで、所定範囲の電圧値の基準電圧を照明装置３１０に一度入力するのみで、照明装置１０に、ソフトウェア上で調光検出値用補正パラメータを演算させることができる。
【００７６】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００７７】
１０，２１０，３１０  照明装置
１１  ＬＥＤ素子
１２  点灯部
１３  制御電源部
１４  電圧変換部
１５，２１５，３１５  制御部
１６  平滑部
１７  検出部
１８  比較部
１５１  ＰＳ部
１５２  入力電圧検出部
１５３  基準電圧入力部
１５４，３１５４  演算部
１５５  メモリ
１５６  出力部
１５３１  Ａ／Ｄ変換器
１５４１  補正パラメータ演算部
１５４２  補正部
１５４３  調光検出値用補正パラメータ演算部
１５４４  調光検出値補正部
１５５１  補正パラメータ
１５５２  調光検出値用補正パラメータ
２１５２  調光信号受信部
【図１】
2019061944.tif 000003
【図２】
2019061944.tif 000004
【図３】
2019061944.tif 000005
【図４】
2019061944.tif 000006
【図５】
2019061944.tif 000007
【図６】
2019061944.tif 000008
【図７】
2019061944.tif 000009
【図８】
2019061944.tif 000010
【図９】
2019061944.tif 000011